(57)【要約】【課題】柄部をヘッド部の上面と略平行に倒した低い状態のままで、これを周方向にスムーズに回動させることができる掃除具を提供する。【解決手段】ヘッド部１と、柄部２と、ジョイント部３と、を有し、ジョイント部３は、ヘッド部１に備えられた第１ヨーク部３１と、柄部２に備えられた第２ヨーク部３２と、軸心が直交するよう配置された第１回動軸心部３３１と第２回動軸心部３３２とを有し、第１回動軸心部３３１において第１ヨーク部３１を回動可能に支持し、第２回動軸心部３３２において第２ヨーク部３２を回動可能に支持する連結部３３と、を有し、第１ヨーク部３１は、２つの第１突起部３１１を有し、第１突起部３１１は、一の方向に沿って並ぶように配置され、ヘッド部１は、一の方向の両端部付近に、一の方向の中央部付近と比較して上面が高くなる隆起部１１１を備える。【選択図】図１
2018161161.tif 000002
【特許請求の範囲】
【請求項１】
清掃用部材を取り付けるためのヘッド部と、使用者が把持するための柄部と、前記ヘッド部と前記柄部とを接続するジョイント部と、を有し、
前記ジョイント部は、前記ヘッド部上面に備えられた第１ヨーク部と、前記柄部の下端に備えられた第２ヨーク部と、軸心が直交するよう配置された第１回動軸心部と第２回動軸心部とを有し、前記第１回動軸心部において前記第１ヨーク部を回動可能に支持し、前記第２回動軸心部において前記第２ヨーク部を回動可能に支持する連結部と、を有し、
前記第１ヨーク部は、２つの突起部を有し、前記突起部は、一の方向に沿って並ぶように配置され、
前記ヘッド部は、前記一の方向の両端部付近に、前記一の方向の中央部付近と比較して上面が高くなる隆起部を備えることを特徴とする掃除具。
【請求項２】
前記ヘッド部は平面視略矩形状に形成され、
前記一の方向は前記ヘッド部の長手方向であることを特徴とする請求項１に記載の掃除具。
【請求項３】
前記突起部は、対向面部で向かい合うように配置され、前記対向面部の左右に形成される側面部は、前記ヘッド部の上面に対し略垂直に形成されていることを特徴とする請求項１又は２に記載の掃除具。
【請求項４】
前記柄部は、下端部付近において、前記ヘッド部に対し垂直に立てた状態における前記一の方向と直交する方向の厚みが、前記一の方向の厚みよりも薄くなる断面形状を有するように形成されていることを特徴とする請求項１〜３のいずれか１項に記載の掃除具。
【請求項５】
前記ヘッド部は清掃用部材を取り付けるための取付部を有し、前記取付部は、前記隆起部に形成されていることを特徴とする請求項１〜４のいずれか１項に記載の掃除具。
【発明の詳細な説明】
【技術分野】
【０００１】
本発明は、掃除具に関する。
【背景技術】
【０００２】
従来、床面の清掃を行うための掃除具として、清掃用部材が取り付けられるヘッド部と、使用者が掃除具を把持するための柄部と、ヘッド部と柄部とを接続するためのジョイント部と、を有し、ジョイント部を介して、ヘッド部と柄部とが回動可能に連結されたものが知られている。
このような掃除具は、ヘッド部に対して柄部が、ジョイント部を中心として、上下方向に加えて周方向にも回動可能に形成されており、特にベッドやラックの下等の上下方向に狭い空間を掃除する際には、柄部をヘッド部の上面に対して略平行に倒した状態のままで、これを周方向にスムーズに回転させられることが必要となる。しかしながら、多くの掃除具においては、柄部をヘッド部に対して略平行に倒した状態では、これを周方向にスムーズに回転させることは困難であった。
【０００３】
そこで、このような課題に対応するため、ジョイント部のヘッド部側のヨーク部の外面を山形状に形成し、ジョイント部の柄部側のヨーク部が、山形状に形成されたヘッド部側のヨーク部の傾斜部に沿ってこれに乗り上げ、また、滑り降りるように移動することで、スムーズな回転を実現したものが存在している（例えば、特許文献１参照）。
【先行技術文献】
【特許文献】
【０００４】
【特許文献１】特開２０１２−７５５９４号公報
【発明の概要】
【発明が解決しようとする課題】
【０００５】
しかし、特許文献１に記載の掃除具においては、柄部をヘッド部に対して平行に倒した状態で周方向に回転させる際には、ヘッド部側のヨーク部の山形状の外面に、柄部側のヨーク部が斜めに接触し、上方へと持ち上げられることとなる。したがって、柄部がヘッド部の長手方向と平行な状態に近づくと、柄部の回転の支点に近い部分が持ち上げられるため、柄部が大きく立ち上がり易い。すなわち、柄部が同じ高さ持ち上げられるとしても、回転の支点に近い位置が持ち上げられる程、持ち上げられる角度は大きくなるため、柄部の回転の支点に極めて近い位置が持ち上げられることとなる特許文献１に記載の発明においては、僅かに持ち上げられたのみでも、柄部が大きく立ち上がってしまうこととなる。したがって、柄部をヘッド部の上面と略平行に倒した状態のままで、周方向に回転させることは困難であった。
【０００６】
本発明の課題は、柄部をヘッド部の上面と略平行に倒した低い状態のままで、これを周方向にスムーズに回動させることができる掃除具を提供することである。
【課題を解決するための手段】
【０００７】
上記課題を解決するために、請求項１に記載の発明は、掃除具において、
清掃用部材を取り付けるためのヘッド部と、使用者が把持するための柄部と、前記ヘッド部と前記柄部とを接続するジョイント部と、を有し、
前記ジョイント部は、前記ヘッド部上面に備えられた第１ヨーク部と、前記柄部の下端に備えられた第２ヨーク部と、軸心が直交するよう配置された第１回動軸心部と第２回動軸心部とを有し、前記第１回動軸心部において前記第１ヨーク部を回動可能に支持し、前記第２回動軸心部において前記第２ヨーク部を回動可能に支持する連結部と、を有し、
前記第１ヨーク部は、２つの突起部を有し、前記突起部は、一の方向に沿って並ぶように配置され、
前記ヘッド部は、前記一の方向の両端部付近に、前記一の方向の中央部付近と比較して上面が高くなる隆起部を備えることを特徴とする。
本発明によれば、隆起部によって柄部のヘッド部との接続位置から離れた位置が持ち上げられることとなるため、柄部をヘッド部の上面と略平行に倒した低い状態のままで、これを周方向に回転させることが容易となる。
【０００８】
請求項２に記載の発明は、請求項１に記載の掃除具において、
前記ヘッド部は平面視略矩形状に形成され、
前記一の方向は前記ヘッド部の長手方向であることを特徴とする。
本発明によれば、隆起部が柄部とヘッド部との接続位置から離れた位置に形成されることとなるため、柄部をヘッド部の上面と略平行に倒した低い状態のままで、これを周方向に回転させることがより容易となる。
【０００９】
請求項３に記載の発明は、請求項１又は２に記載の掃除具において、
前記突起部は、対向面部で向かい合うように配置され、前記対向面部の左右に形成される側面部は、前記ヘッド部の上面に対し略垂直に形成されていることを特徴とする。
本発明によれば、突起部によって柄部の下端部が持ち上げられることによって柄部が立ち上がってしまうことを防止できる。
【００１０】
請求項４に記載の発明は、請求項１〜３のいずれか１項に記載の掃除具において、
前記柄部は、下端部付近において、前記ヘッド部に対し垂直に立てた状態における前記一の方向と直交する方向の厚みが、前記一の方向の厚みよりも薄くなる断面形状を有するように形成されていることを特徴とする。
本発明によれば、柄部をヘッド部の上面と略平行に倒した状態において、柄部のヘッド部と重なる部分の上下方向の厚みが薄くなるため、上下方向に狭い空間の清掃が容易となる。
【００１１】
請求項５に記載の発明は、請求項１〜４のいずれか１項に記載の掃除具において、
前記ヘッド部は清掃用部材を取り付けるための取付部を有し、前記取付部は、前記隆起部に形成されていることを特徴とする。
本発明によれば、清掃用部材を取付部に深く差し込むことができ、清掃用部材が外れ難くなる。
【発明の効果】
【００１２】
本発明によれば、柄部をヘッド部の上面と略平行に倒した低い状態のままで、これを周方向にスムーズに回動させることができる掃除具を提供することができる。
【図面の簡単な説明】
【００１３】
【図１】実施形態に係る掃除具の斜視図である。
【図２】実施形態に係る掃除具の正面図である。なお、柄部の上部は省略している。
【図３】実施形態に係る掃除具の側面図である。なお、柄部の上部は省略している。
【図４】実施形態に係る掃除具の、ジョイント部の第１ヨーク部の斜視図である。
【図５】実施形態に係る掃除具の、柄部の下部及びジョイント部の第２ヨーク部の斜視図である。
【図６】実施形態に係る掃除具の、ジョイント部の連結部の斜視図である。
【図７】（ａ）は、柄部をＸ軸と平行に倒した状態における実施形態に係る掃除具の平面図、（ｂ）は、柄部をＹ軸と平行に倒した状態における実施形態に係る掃除具の平面図である。
【発明を実施するための形態】
【００１４】
以下、本発明の実施形態である掃除具１００の具体的な態様について、図１から図７に基づいて説明する。ただし、本発明の技術的範囲は、図示例に限定されない。
また、便宜的に、図１に示したようにＸ軸、Ｙ軸及びＺ軸並びに前後方向、左右方向及び上下方向を定めて説明する。
【００１５】
（実施形態の構成）
掃除具１００は、清掃シートＰが取り付けられるヘッド部１と、使用者が掃除具１００を把持するための柄部２と、ヘッド部１と柄部２とを接続するジョイント部３と、を備えている。
【００１６】
（ヘッド部）
ヘッド部１は、図１、図２及び図３に示すように、異なる材質によって形成された天面部１１と底面部１２とによって構成され、天面部１１の上面の略中央部に、ジョイント部３を介して柄部２が取り付けられている。
【００１７】
（天面部）
天面部１１は、Ｘ軸方向50ｍｍ〜150ｍｍ、好ましくは70ｍｍ〜120ｍｍ、Ｙ軸方向200ｍｍ〜300ｍｍ、好ましくは220ｍｍ〜270ｍｍの大きさを有する、Ｙ軸方向に長い平面視略矩形状の部材であり、例えばＡＢＳ樹脂（アクリロニトリル、ブタジエン、スチレン共重合合成樹脂）等の硬質な材料によって形成されている。
天面部１１の上面側は、図２に示すように、Ｙ軸方向両端部付近が高く、Ｙ軸方向中央部付近が低くなるように形成されており、Ｙ軸方向両端部付近に隆起部１１１が形成され、Ｙ軸方向中央部付近に沈降部１１２が形成されている。
天面部１１の下面側は、平面となるように形成され、底面部１２の上面側と貼付されている。
【００１８】
（隆起部）
隆起部１１１は、図２に示すように、正面視において天面部１１の上面側のＹ軸方向両端部付近において、上方に向けて隆起するように形成されている。また、隆起部１１１は、図３に示すように、側面視においてＸ軸方向中央部付近が最も高く、前後方向からＸ軸方向中央部付近にむけて緩やかに隆起するように形成されている。
隆起部１１１は、最も高い部分において、ヘッド部１の厚みが10ｍｍ〜30ｍｍ、好ましくは15ｍｍ〜25ｍｍとなるように形成されている。ヘッド部１の厚みが10ｍｍより低いと、シート取付け時に指の入りが悪くシートが外れやすくなり、ヘッド部１の厚みが30ｍｍより高いと、ソファやラック下などの足の低い家具下側への入り込みが困難となる。
【００１９】
なお、隆起部１１１の具体的な配置位置及び形状は、上記のものに限られず、柄部２が第１突起部３１１を乗り越える際にこれを持ち上げることができる範囲で、適宜変更することが可能である。
また、隆起部１１１は、ヘッド部１の平面視における長手方向の両端部付近に形成されることが望ましいが、これに限られず、後述の第１ヨーク部３１の２つの第１突起部３１１が並ぶ方向と同一の方向の両端部付近に形成されていればよい。
【００２０】
（沈降部）
沈降部１１２は、図２に示すように、天面部１１の上面側のＹ軸方向中央部付近において、両端部に形成された隆起部１１１から緩やかに沈降するように形成されている。
沈降部１１２は、ジョイント部３を介して柄部２が取り付けられる天面部１１の中央部において、ヘッド部１の厚みが15ｍｍ以下、好ましくは12ｍｍ以下となるように形成されている。
【００２１】
（底面部）
底面部１２は、図１、図２及び図３に示すように、例えばＴＰＥ（熱可塑性エラストマー）等の天面部１１と比較して軟質な弾性変形可能な材料によって、平面視において天面部１１と合同な略矩形状となっている。厚みはZ軸方向に１ｍｍ〜４ｍｍ、ゴム硬度は６０〜１００（ＪＩＳ  Ｋ  ６２５３で規定する、デュロメータタイプＡ（ショアＡ）で測定した値）がダスト捕集性の観点から好ましい。
底面部１２は、上面側と下面側とが平行な平面となるように形成され、上面側において、天面部１１と貼付されている。
【００２２】
（取付部）
天面部１１上面の平面視四隅付近には、図１及び図７に示すように、取付部１３が備えられている。取付部１３は、天面部１１上面の隆起部１１１上に形成された、周囲にＥＶＡ（エチレン酢酸ビニル共重合体）等によって形成された爪部１３１が備えられた穴であり、清掃シートＰを押し込み爪部１３１に引っ掛けることで、ヘッド部１に清掃シートＰを取り付けることができる。具体的には、底面部１２の下面側に清掃シートＰを密着させ、底面部１２の下面側からはみ出した部分の清掃シートＰを天面部１１の上面側に折り返し、天面部１１の上面側に設けられた取付部１３に押し込むことで、清掃シートＰをヘッド部１に取り付けることとなる。
なお、取付部１３の形状は、清掃シートＰをヘッド部１に取り付けることができればよく、上記の形状には限られない。
【００２３】
（柄部）
柄部２は、掃除具１００を使用する際に使用者がこれ把持するために用いられる棒状の部材であり、図１に示すように、柄本体２１と、把持部２２とを備える。なお、柄部２は、ヘッド部１に対してジョイント部３を介して回動可能に接続されるが、図１に示すようにヘッド部１上に垂直に立てた状態において前後方向、左右方向及び上下方向を定めて説明する。
【００２４】
（柄本体）
柄本体２１は、図１に示すように、例えばＡＢＳ樹脂（アクリロニトリル、ブタジエン、スチレン共重合合成樹脂）等の硬質な材料によって形成された棒状の部材であり、下端において、ヘッド部１の天面部１１の上面側の略中央部に、ジョイント部３を介して接続され、上端部において、把持部２２に接続されている。
柄本体２１は、下端部付近において、図３に示すように、前後方向の厚みが左右方向の厚みと比較して薄くなるように形成されている。
なお、後述の柄部２を低い状態に倒し易くなるという効果は減少するものの、柄本体２１の下端部付近は、前後方向と、左右方向とにおいて同じ厚みとなるように形成してもよい。また、例えば後述の第２突起部３２１の強度を重視し、前後方向の厚みが左右方向の厚みよりも厚くなるように形成してもよい。
【００２５】
（把持部）
把持部２２は、掃除具１００の使用時に使用者が把持する部材であり、例えばポリプロピレン、ポリアセタール等の柄本体２１と比較して軟質な材料によって形成され、図１に示すようにその下端部において、柄本体２１に接続されている。
【００２６】
（ジョイント部）
ジョイント部３は、図１、図２及び図３に示すように、ヘッド部１の天面部１１の上面側の略中央部に備えられる第１ヨーク部３１と、柄部２の下端部に備えられる第２ヨーク部３２と、第１ヨーク部３１と、第２ヨーク部３２と、を接続する連結部３３と、から形成されている。
【００２７】
（第１ヨーク部）
第１ヨーク部３１は、図１、図２、図３及び図４に示すように、ヘッド部１の天面部１１の上面側中央部において天面部１１と一体的に形成された、第１対向面部３１１１で向かい合う二つの対称形状の第１突起部３１１によって形成されている。なお、本実施形態においては、２つの対称形状の突起を備えて形成された、他の部材との接続に用いられる部分を「ヨーク部」と呼ぶ。
【００２８】
（第１突起部）
第１突起部３１１は、図１、図２、図３及び図４に示すように、Ｘ軸方向から見て、第１突起部３１１同士が対向する第１対向面部３１１１に向けて徐々に高さが高くなるように形成され、Ｙ軸に沿って並ぶように配置されている。
【００２９】
第１突起部３１１は、Ｘ軸方向5ｍｍ〜20ｍｍ、好ましくは8ｍｍ〜15ｍｍ、Ｙ軸方向10ｍｍ〜50ｍｍ、好ましくは15ｍｍ〜30ｍｍとなるように形成されている。また、最も高くなる第１対向面部３１１１付近においては、Ｚ軸方向5ｍｍ〜15ｍｍ、好ましくは8ｍｍ〜12ｍｍとなり、隆起部１１１と比較して同等又は高くなるように形成されている。また、第１突起部３１１は、第１対向面部３１１１同士が、10ｍｍ〜25ｍｍ、好ましくは15ｍｍ〜20ｍｍの間隔を有するように配置されている。
【００３０】
（第１対向面部）
第１対向面部３１１１は、図１、図２及び図４に示すように、第１突起部３１１同士が向かい合う面であり、天面部１１の上面側から略垂直に立設する略矩形状に形成され、第１対向面部３１１１同士が平行となるように形成されている。
また、図４に示すように、第１対向面部３１１１には、穴部３１１３が形成されている。
【００３１】
（穴部）
穴部３１１３は、第１対向面部３１１１に形成された円柱状の穴であり、後述のように連結部３３の第１回動軸心部３３１との接続に用いられる。
【００３２】
（側面部）
側面部３１１２は、図１、図２及び図４に示すように、第１対向面部３１１１の左右両側から連続して形成された、第１突起部３１１の、ＹＺ平面と平行にＸ軸方向を向く面であり、ヘッド部１の天面部１１の上面側から略垂直に立設するように形成されている。
【００３３】
（第２ヨーク部）
第２ヨーク部３２は、図１、図２、図３及び図５に示すように、柄部２の柄本体２１の下端部において、軸方向に向けて延出する二つの対称形状の第２突起部３２１と、第２突起部３２１の第２対向面部３２１１と，第２対向面部３２１１の間に架け渡された第２軸部材３２２と、から形成されている。
【００３４】
（第２突起部）
第２突起部３２１は、図１、図３及び図５に示すように、柄本体２１下端の、図１に示す状態におけるＸ軸方向の両端部に、第２対向面部３２１１同士が平行に向かい合うように柄本体２１と一体的に形成されている。
【００３５】
第２突起部３２１は、図１に示す状態において、Ｘ軸方向に2ｍｍ〜6ｍｍ、好ましくは3ｍｍ〜5ｍｍの厚みを有し、Ｙ軸方向に柄本体２１と略同一の幅を有する。X軸方向の厚みが薄すぎると清掃時の押圧による強度不足となり破損に繋がりやすく、厚すぎると柄をX軸方向へ倒した際、柄がヘッド部の上面と干渉し略平行まで傾けづらくなる。
また、第２対向面部３２１１同士が、2ｍｍ〜10ｍｍ、好ましくは3ｍｍ〜7ｍｍの間隔を有するように形成されている。
【００３６】
（第２軸部材）
第２軸部材３２２は、図５に示すように、第２対向面部３２１１の間を、Ｙ軸方向中心部においてＸ軸に沿って架け渡すように、第２突起部３２１と一体的に形成されている。
【００３７】
（連結部）
連結部３３は、図１、図２及び図３に示すように第１ヨーク部３１と、第２ヨーク部３２の間に介在する形で備えられ、図６に示すように、前方向から見て略三角形状に形成され、中心軸が立体交差する形で交わることなく直交する第１回動軸心部３３１と第２回動軸心部３３２とを備えている。
また、連結部３３を形成する材料としては、例えばポリアセテートが用いられる。
【００３８】
（第１回動軸心部）
第１回動軸心部３３１は、図６に示すように、連結部３３の下端部に形成された、第１ヨーク部３１との接続に用いられる部分であり、Ｙ軸方向両端部に、円柱状の突出部３３１１を有する。
第１回動軸心部３３１は、突出部３３１１を除いた部分のＹ軸方向の幅が、第１突起部３１１の第１対向面部３１１１同士の間隔と略同一となり、また、突出部３３１１が、穴部３１１３と略同一の形状となるように形成されている。したがって、突出部３３１１を穴部３１１３に嵌め込むことで、連結部３３を、Ｙ軸周りに回動可能に第１ヨーク部３１に装着することができる。
なお、図６に示す第１回動軸心部３３１のＹ軸に沿った中心軸を、第１軸心ａとする。
【００３９】
（第２回動軸心部）
第２回動軸心部３３２は、図６に示すように、連結部３３の上端部に形成された、第２ヨーク部３２との接続に用いられる部分であり、上端部の一部が切り欠かれ、前後方向に貫通した略円筒形状の第２装着孔部３３２１を有する。第２装着孔部３３２１は、内側に形成された円筒形状の空間の直径が、第２軸部材３２２の直径と略同一となる。また、Ｘ軸方向の長さが、第２軸部材３２２の長さと略同一となるように形成されており、第２装着孔部３３２１に、第２軸部材３２２を嵌め込むことで、連結部３３を、Ｘ軸周りに回動可能に、第２ヨーク部３２に固定することができる。
なお、図６に示す第２回動軸心部３３２のＸ軸に沿った中心軸を、第２軸心ｂとする。
【００４０】
（実施形態の効果）
本実施形態によれば、第１ヨーク部３１の第１突起部３１１の側面部３１１２が、ヘッド部１の天面部１１の上面から略垂直に立設するように形成されている。したがって、柄部２を、図７（ａ）に示すＸ軸と平行な状態から、Ｒ方向に回転させていった場合に、柄部２は、図７（ｂ）に示すＹ軸と平行な状態となるまでは、第１突起部３１１に当たることはない。
また、ヘッド部１のＹ軸方向両端部付近には、隆起部１１１が形成されているため、柄部２を、図７（ａ）に示すＸ軸と平行な状態から、Ｒ方向に回転させていった場合に、柄部２は、まず、隆起部１１１によって持ち上げられ、この状態において、第１突起部３１１を乗り越えていくこととなる。
したがって、柄部２は、第１突起部３１１を乗り越える際には、第１突起部３１１に当たる以前に、隆起部１１１によって、回転の支点である柄部２とヘッド部１との接続位置から、ヘッド部１のＹ軸方向の端部付近に形成された隆起部１１１までの距離の分離れた位置が持ち上げられていることとなる。したがって、柄部２は、例えば特許文献１に記載の発明と比較して、回転の支点から離れた位置が持ち上げられることとなるため、柄部２が立ち上がる角度は比較的緩やかとなり、柄部２が大きく立ち上がってしまうことはない。
したがって、柄部２をヘッド部１の上面と略平行に倒した低い状態のままで、これを周方向に回転させることが容易となる。
【００４１】
また、図３に示すように、隆起部１１１は、天面部１１の上面にＸ軸方向全体にわたって形成されており、最も高くなるＸ軸方向中央部に向けて、緩やかに隆起している。したがって、柄部２が回転時に急激に持ち上げられることはなく、隆起部１１１に沿って緩やかに持ち上げられることとなるため、スムーズな回転を実現することができる。
【００４２】
また、ヘッド部１の天面部１１のＹ軸方向中央部には、隆起部１１１が形成された両端部と比較して上面が低くなる沈降部１１２が形成され、沈降部１１２に、ジョイント部３を介して柄部２が接続されている。したがって、柄部２の接続位置を低くすることができ、低い状態での柄部２の回転が可能となる。
また、掃除具１００の使用時に最も多用される、図７（ａ）に示す柄部２がヘッド部１の長辺と垂直な方向に倒された状態において、柄部２を低い位置まで下げることが可能となる。これによって、上下方向に狭い空間の清掃が容易となる。
【００４３】
また、柄本体２１が、図３に示すように、下端部において、前後方向の厚みが左右方向の厚みと比較して薄くなるように形成されていることから、図７（ａ）及び（ｂ）に示すように柄部２をＸＹ平面に平行に近い状態に倒した状態において、柄本体２１のヘッド部１と重なる部分の上下方向の厚みが薄くなるため、柄部２を低い状態に倒し易くなり、上下方向に狭い空間の清掃が容易となる。
【００４４】
また、ヘッド部１の天面部１１は、隆起部１１１において、他の部分よりＺ軸方向に厚くなっているため、取付部１３を隆起部１１１上に設けることで、取付部１３の穴を深くすることができる。
これによって、清掃シートＰを深く差し込むことができ、清掃シートＰが外れ難くなる。
【符号の説明】
【００４５】
１００  掃除具
１  ヘッド部
１１１  隆起部
１３  取付部
２  柄部      
３  ジョイント部
３１  第１ヨーク部
３１１  第１突起部（突起部）
３１１１  第１対向面部（対向面部）
３１１２  側面部
３２  第２ヨーク部
３３  連結部
３３１  第１回動軸心部
３３２  第２回動軸心部
Ｐ  清掃シート（清掃用部材）
ａ  第１軸心（軸心）
ｂ  第２軸心（軸心）
【図１】
2018161161.tif 000003
【図２】
2018161161.tif 000004
【図３】
2018161161.tif 000005
【図４】
2018161161.tif 000006
【図５】
2018161161.tif 000007
【図６】
2018161161.tif 000008
【図７】
2018161161.tif 000009
【手続補正書】
【提出日】平成30年7月9日(2018.7.9)
【手続補正１】
【補正対象書類名】明細書
【補正対象項目名】０００７
【補正方法】変更
【補正の内容】
【０００７】
上記課題を解決するために、請求項１に記載の発明は、掃除具において、
清掃用部材を取り付けるためのヘッド部と、使用者が把持するための柄部と、前記ヘッド部と前記柄部とを接続するジョイント部と、を有し、
前記ジョイント部は、前記ヘッド部上面に備えられた第１ヨーク部と、前記柄部の下端に備えられた第２ヨーク部と、軸心が直交するよう配置された第１回動軸心部と第２回動軸心部とを有し、前記第１回動軸心部において前記第１ヨーク部を回動可能に支持し、前記第２回動軸心部において前記第２ヨーク部を回動可能に支持する連結部と、を有し、
前記第１ヨーク部は、２つの突起部を有し、前記突起部は、一の方向に沿って並ぶように配置され、
前記ヘッド部は、前記一の方向の両端部付近に、前記一の方向の中央部付近と比較して上面が高くなる隆起部を備え、
前記突起部は、対向面部で向かい合うように配置され、前記対向面部の水平方向両側から連続して形成される側面部は、前記ヘッド部の上面に対し略垂直に立設する平面状に形成されていることを特徴とする。
本発明によれば、隆起部によって柄部のヘッド部との接続位置から離れた位置が持ち上げられることとなるため、柄部をヘッド部の上面と略平行に倒した低い状態のままで、これを周方向に回転させることが容易となる。
また、本発明によれば、突起部によって柄部の下端部が持ち上げられることによって柄部が立ち上がってしまうことを防止できる。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
請求項３に記載の発明は、請求項１又は２に記載の掃除具において、
前記柄部は、下端部付近において、前記ヘッド部に対し垂直に立てた状態における前記一の方向と直交する方向の厚みが、前記一の方向の厚みよりも薄くなる断面形状を有するように形成されていることを特徴とする。
本発明によれば、柄部をヘッド部の上面と略平行に倒した状態において、柄部のヘッド部と重なる部分の上下方向の厚みが薄くなるため、上下方向に狭い空間の清掃が容易となる。
【手続補正４】
【補正対象書類名】明細書
【補正対象項目名】００１１
【補正方法】変更
【補正の内容】
【００１１】
請求項４に記載の発明は、請求項１〜３のいずれか１項に記載の掃除具において、
前記ヘッド部は清掃用部材を取り付けるための取付部を有し、前記取付部は、前記隆起部に形成されていることを特徴とする。
本発明によれば、清掃用部材を取付部に深く差し込むことができ、清掃用部材が外れ難くなる。
【手続補正５】
【補正対象書類名】特許請求の範囲
【補正対象項目名】全文
【補正方法】変更
【補正の内容】
【特許請求の範囲】
【請求項１】
清掃用部材を取り付けるためのヘッド部と、使用者が把持するための柄部と、前記ヘッド部と前記柄部とを接続するジョイント部と、を有し、
前記ジョイント部は、前記ヘッド部上面に備えられた第１ヨーク部と、前記柄部の下端に備えられた第２ヨーク部と、軸心が直交するよう配置された第１回動軸心部と第２回動軸心部とを有し、前記第１回動軸心部において前記第１ヨーク部を回動可能に支持し、前記第２回動軸心部において前記第２ヨーク部を回動可能に支持する連結部と、を有し、
前記第１ヨーク部は、２つの突起部を有し、前記突起部は、一の方向に沿って並ぶように配置され、
前記ヘッド部は、前記一の方向の両端部付近に、前記一の方向の中央部付近と比較して上面が高くなる隆起部を備え、
前記突起部は、対向面部で向かい合うように配置され、前記対向面部の水平方向両側から連続して形成される側面部は、前記ヘッド部の上面に対し略垂直に立設する平面状に形成されていることを特徴とする掃除具。
【請求項２】
前記ヘッド部は平面視略矩形状に形成され、
前記一の方向は前記ヘッド部の長手方向であることを特徴とする請求項１に記載の掃除具。
【請求項３】
前記柄部は、下端部付近において、前記ヘッド部に対し垂直に立てた状態における前記一の方向と直交する方向の厚みが、前記一の方向の厚みよりも薄くなる断面形状を有するように形成されていることを特徴とする請求項１又は２に記載の掃除具。
【請求項４】
前記ヘッド部は清掃用部材を取り付けるための取付部を有し、前記取付部は、前記隆起部に形成されていることを特徴とする請求項１〜３のいずれか１項に記載の掃除具。